(57)【要約】【課題】ユーザが放送受信装置のモニタ画面を見ることなく、受信したデータ放送の内容を当該ユーザが十分に把握できるようにする。【解決手段】受信先局部３で受信し、ＴＳデコーダ４でデコードして得たデータ放送ストリームに含まれる文字データを読み上げ要素抽出部２１により取得し、データ放送ストリームに含まれる図形ファイルで示される画像中の各々の図形イメージの読みデータを図形認識部２３により取得し、これら文字データと読みデータをもとに、音声読み上げ用の文章データを読み上げ分生成部２４により生成し、この生成した文章データを、音声合成手段２５により音声データに変換する。この変換された音声データは音声出力部２５により出力される。これにより、ユーザは、表示部１１を見ることなく、データ放送の内容を把握することが出来る。【選択図】      図１
2006033741.tif 000002
【特許請求の範囲】
【請求項１】
ディジタル方式の放送電波を受信・選局する受信選局手段と、
この受信選局した放送電波に含まれるデータ放送ストリームを復号して、データ放送用の文字データと画像データをそれぞれ取得する取得手段と、
図形パターンと、この図形パターンの読みデータを対応付けて記憶する記憶手段と、
前記取得した画像データと前記記憶手段に記憶された情報とを照合することで、前記画像データに含まれる各々の図形パターンの読みデータを検索する手段と、
前記取得した文字データと前記検索した読みデータとをもとに、音声読み上げ対象の文章データを生成する手段と、
この生成した文章データを音声データに変換する変換手段と
を具備したことを特徴とするディジタル放送受信装置。
【請求項２】
ディジタル方式の放送電波を受信・選局する受信選局手段と、
この受信選局した放送電波に含まれるデータ放送ストリームを復号して、データ放送用の文字データを取得する手段と、
この取得した文字データをもとに、音声読み上げ対象の文章データを生成する手段と、
この生成した文章データを音声データに変換する手段と、
を具備したことを特徴とするディジタル放送受信装置。
【請求項３】
ディジタル方式の放送電波を受信・選局する受信選局手段と、
この受信選局した放送電波に含まれるデータ放送ストリームを復号して前記データ放送の出力画面全体のイメージを生成する手段と、
図形パターンと、この図形パターンの読みデータを対応付けて記憶する記憶手段と、
前記生成したイメージと前記記憶手段に記憶された情報とを照合することで、前記生成したイメージに含まれる各々の図形パターンの読みデータを検索する手段と、
前記検索した各々の読みデータをもとに音声読み上げ対象の文章データを生成する手段と、
この生成した文章データを音声データに変換する手段と
を具備したことを特徴とするディジタル放送受信装置。
【請求項４】
前記記憶手段に記憶された図形パターンは、少なくとも文字に対応し、絵文字および記号のうち少なくともいずれかにもさらに対応することを特徴とする請求項１または３に記載のディジタル放送受信装置。
【請求項５】
前記記憶手段は、図形パターンと、この図形パターンの読みデータを、当該図形パターンの表示形式ごとに対応付けて記憶するとともに、前記データ放送ストリーム中で使用されている表示形式に対応する図形パターンの記憶部を選択して、または優先的に使用する
ことを特徴とする請求項１または３に記載のディジタル放送受信装置。
【請求項６】
前記受信選局した放送電波には、音声ストリーム、および、前記データ放送ストリームに含まれるデータ放送用音声ストリームが含まれており、
これら受信選局したストリームを復号して得られた音声データ、および、前記音声読み上げ対象の文章データから変換された音声データをミキシングする手段
をさらに備えたことを特徴とする請求項１または３に記載のディジタル放送受信装置。
【請求項７】
前記文章生成手段は、
前記取得手段により取得された、前記データ放送用の文字データおよび画像データの少なくとも一方が更新された場合に、更新後のデータのうち、更新前のデータと異なるデータをもとに、前記音声読み上げ対象の文章データをさらに生成する
ことを特徴とする請求項１に記載のディジタル放送受信装置。
【請求項８】
前記文章生成手段は、
前記取得手段により取得された、前記データ放送用の文字データが更新された場合に、更新後のデータのうち、更新前のデータと異なるデータをもとに、前記音声読み上げ対象の文章データをさらに生成する
ことを特徴とする請求項２に記載のディジタル放送受信装置。
【請求項９】
前記文章生成手段は、
前記イメージ生成手段により生成された出力画面全体のイメージが更新された場合に、更新後の出力画面全体のイメージに含まれる各々の図形パターンのうち、更新前の出力画面全体のイメージに含まれる図形パターンと異なる図形パターンの読みデータをもとに、前記音声読み上げ対象の文章データをさらに生成する
ことを特徴とする請求項３に記載のディジタル放送受信装置。
【請求項１０】
ディジタル方式の放送電波を受信・選局する受信選局手段と、
この受信選局した放送電波に含まれるデータ放送ストリームを復号し、この復号した情報に含まれる、データ放送用の文字データおよび画像データのうち、少なくとも画像データの情報の読みデータを取得する手段と、
前記取得した各々の読みデータをもとに音声読み上げ用の文章データを生成する手段と、
この生成された文章データを音声データに変換する手段と
を具備したことを特徴とするディジタル放送受信装置。
【請求項１１】
前記文章生成手段は、
前記取得したデータ放送用の文字データおよび画像データに含まれる図形パターンの表示形式、表示サイズおよび表示位置情報のうち少なくとも１つの要素にもとづいて決定された順序により、前記読み上げ用の文章データを生成することを特徴とする請求項１に記載のディジタル放送受信装置。
【請求項１２】
前記文章生成手段は、
前記取得したデータ放送用の文字データの表示形式、表示サイズおよび表示位置情報のうち少なくとも１つの要素にもとづいて決定した順序により、前記読み上げ用の文章データを生成する
ことを特徴とする請求項２に記載のディジタル放送受信装置。
【請求項１３】
前記文章生成手段は、
前記生成した出力画面イメージに含まれる各々の図形パターンの表示形式、表示サイズおよび表示位置情報のうち少なくとも１つの要素にもとづいて決定した順序により、前記読み上げ用の文章データを生成する
ことを特徴とする請求項３に記載のディジタル放送受信装置。
【発明の詳細な説明】
【技術分野】
【０００１】
本発明は、データ放送を受信する機能を有するディジタル放送受信装置に関する。
【背景技術】
【０００２】
従来、ディジタル方式のテレビ放送では、映像および音声とは別に、ユーザの操作に従って、ニュースや天気予報などをモニタ表示するためのデータを送信局から伝送する、いわゆるデータ放送を行なっている（例えば特許文献１参照）。
【０００３】
このデータ放送は、家庭用の放送受信装置の他に、車載用の放送受信装置でも受信することができるが、前述したデータ放送は画面表示による出力を前提としているので、運転者による車両の運転中であって、当該運転者が車載用放送受信装置のモニタ画面を見ることが出来ない場合には、このデータ放送の内容を把握することはできない。
【０００４】
この問題を解消するために、ユーザがモニタ画面を見ることなく、当該モニタ画面に表示された情報を把握する事を目的として、放送局から受信した情報に含まれる文字データを音声データに変換して出力するものがある。
【特許文献１】特開平１０−３０４３２５号公報
【発明の開示】
【発明が解決しようとする課題】
【０００５】
前述したデータ放送用のデータの中には、文字データのほかに、例えばニュースのタイトルロゴを示すイメージや、例えば「晴れ」を示す天気マークなどのデータが含まれる場合がある。この場合には、前述した、文字データを音声データに変換する手法では、前述したようなニュースタイトルや天気予報の内容は音声の変換対象とならないので、データ放送の内容を、モニタ画面を見ずに十分に把握することはできなかった。
【０００６】
そこで、本発明の目的は、ユーザがモニタ画面を見ることなく、データ放送の内容を当該ユーザが十分に把握することが可能になるディジタル放送受信装置を提供することにある。
【課題を解決するための手段】
【０００７】
すなわち、本発明に係わるディジタル放送受信装置は、ディジタル方式の放送電波を受信・選局して、この放送電波に含まれるデータ放送ストリームを復号してデータ放送の出力画面全体のイメージを生成する機能を有し、また、図形パターンと、この図形パターンの読みデータを対応付けて記憶する記憶手段を備え、また、出力画面全体のイメージと記憶手段に記憶された情報とを照合することで、出力画面全体のイメージに含まれる各々の図形パターンの読みデータを検索し、検索した各々の読みデータをもとに音声読み上げ対象の文章データを生成し、この生成した文章データを音声データに変換することを特徴とする。
【発明の効果】
【０００８】
本発明に係わるディジタル放送受信装置では、データ放送の出力画面全体のイメージを生成し、このイメージに含まれる図形パターンをもとにした音声データを生成するので、ユーザは、モニタ画面を見ることなく、データ放送の内容を十分に把握することができる。
【発明を実施するための最良の形態】
【０００９】
以下図面により本発明の実施形態について説明する。  
（第１の実施形態）
まず、本発明の第１の実施形態について説明する。  
図１は、本発明の第１の実施形態にしたがった車載用放送受信装置の構成例を示すブロック図である。  
この車載用放送受信装置は、装置全体の動作を司る制御部１を備え、また、ＴＶ（テレビ）アンテナ２が受信した、例えば地上波ディジタルテレビ放送の電波から、予め選択したテレビ放送局の電波を選局するＴＶ受信選局部３、および、この選局された電波を復調した信号（ＭＰＧ２トランスポートストリーム）を、映像ストリーム、音声ストリームおよびデータ放送ストリームに分離するＴＳ（Transport Stream）デコーダ４を備える。
【００１０】
また、車載用放送受信装置は、ＴＳデコーダ４により分離された映像ストリームをデコードして出力する映像デコーダ５、前述のように分離された音声ストリームをデコードして出力する音声デコーダ６、および、前述のように分離されたデータ放送ストリームを記憶するデータ記憶部７、このデータ記憶部７に記憶されたデータ放送ストリームを制御部１による制御にしたがってデコードして出力するデータ放送デコーダ８をさらに備える。
【００１１】
また、車載用放送受信装置は、映像デコーダ５などから入力した信号を合成、または選択して、表示部（モニタ）１１に出力する信号を選択する映像合成部１２を備え、音声デコーダ６などから入力した信号を予め定められた割合でミキシングして、これを音声出力部（スピーカ）１３に出力する信号を選択する音声ミキサ部１４を備え、各種キーや操作スイッチからなる入力部１５をさらに備える。なお、データ記憶部７に記憶されたデータ放送ストリームにＢＧＭ（Back Ground Music）などのデータ放送用音声ストリームが含まれている場合には、このストリームは音声デコーダ６に出力されて、この音声デコーダ６によりデコードされる。
【００１２】
図２は、データ放送ストリームのモニタ表示例を示す図である。  
データ放送デコーダ８がデータ記憶部７から読み出したデータ放送ストリームは、表示部１１に表示する画面（図２参照）における文字データや画像データなどの表示位置情報などが記述されるＢＭＬ（Broadcasting Markup Language）ファイル、表示部１１に表示するための文字データが定義されるバイナリテーブル（Binary Table）ファイル、および表示部１１に表示する画像データを示す図形ファイルを含む。
【００１３】
図２に示したモニタ表示例では、ニュースと天気予報を表示しており、この表示内容は、ＢＭＬファイル（ファイル名“news.bml”）、ニュース本文の文字データを定義するバイナリテーブルファイル（ファイル名“news.tbl”）、ニュースタイトルロゴの画像データを示す図形ファイル（ファイル名“title.png”）、および、天気の種別の画像データを示す図形ファイル（ファイル名“weather.png”）をもとに、データ放送デコーダ８が制御する。
【００１４】
図３は、ＢＭＬファイルの記述例を示す図である。図３に示したＢＭＬファイルは、前述した“news.bml”のファイル名が付されたファイルである。図４は、バイナリテーブルファイルの記述例を示す図である。図４に示したバイナリテーブルファイルは、前述した“news.tbl”のファイル名が付されたファイルである。
【００１５】
図３に示したＢＭＬファイルでは、バイナリテーブルファイル（図４参照）で定義された文字データの読み出し（readTable()）や表示（dispNews）、および、ページ更新（pageUp()）をスクリプトにより記述し、また、バイナリテーブルファイルで定義された文字データの表示位置、および図形ファイルで示される画像データの表示位置を記述する。
【００１６】
データ放送デコーダ８は、図３に示したＢＭＬファイル中のスクリプトを実行することで、このＢＭＬファイル中の３箇所の“この部分はスクリプトによりニュースに差し替え”との記述部分を、図４に示したバイナリテーブルファイルで定義された文字データである“来年度予算案衆院通過の見込み”、“台風２１号が静岡県沖を北上中”、および、“日経平均株価１万２０００円を回復”にそれぞれ上書き更新する。これにより、前述した３種類のニュース本文が表示部１１に出力されるようになる。
【００１７】
また、図３に示したＢＭＬファイルでは、“次のニュース”という文字データをモニタ表示するための記述が含まれている。バイナリテーブルファイルで定義された文字データの行数が、ＢＭＬファイル中の、バイナリテーブルファイルからの格納可能な文字データ行数を超えている場合において、表示部１１に表示された“次のニュース”の表示部分を入力部１５の操作により選択すると、バイナリテーブルファイル（図４参照）で定義されて、かつ、モニタ表示されていない文字データのうち３行分の文字データが、前述したＢＭＬファイル中の“来年度予算案衆院通過の見込み”、“台風２１号が静岡県沖を北上中”、および、“日経平均株価１万２０００円を回復”と記述された部分に上書きされる。これにより、表示部１１に表示されるニュース本文が更新される。
【００１８】
また、図１に示した車載用放送受信装置は、読み上げ要素抽出部２１、文字認識辞書メモリ２２、図形認識部２３、音声読み上げ用の文章データを生成する読み上げ文生成部２４、および、音声読み上げ用の文章データを音声データに変換する音声合成部２５を有する。
【００１９】
前述したデータ放送デコーダ８は、データ記憶部７から読み出したデータ放送ストリームに含まれるバイナリテーブルファイルを読み上げ要素抽出部２１に出力する機能と、データ放送ストリームに含まれる図形ファイルを図形認識部２３に出力する機能を有する。
【００２０】
読み上げ要素抽出部２１は、データ放送デコーダ８から出力されたバイナリテーブルファイルに含まれる、モニタ表示対象の文字データを一行分ごとに抽出する機能、および、ＢＭＬファイルに直接記述された文字データを抽出する機能を有する。
【００２１】
文字認識辞書メモリ２２は、平仮名、片仮名、漢字、数字、および、その他の各種文字ならびに記号の図形パターンと、この図形パターンの読みデータを対応付けて記憶した文字認識辞書の定義ファイルが複数種類記憶される。以下、平仮名、片仮名、漢字、数字、および、その他の各種文字を単に文字と呼ぶ。前述した記号は、括弧、単位記号、学術記号、絵文字、および各種マークを含む。
【００２２】
図５は、図１に示した文字認識辞書メモリ２２に記憶される図形認識辞書の第１の定義ファイルの一例を示す図である。図６は、図１に示した文字認識辞書メモリ２２に記憶される図形認識辞書の第２の定義ファイルの一例を示す図である。
【００２３】
図５および図６の定義ファイルでは、例えば「あ」という平仮名を示す図形パターンは「あ」という読みデータと対応付けられ、天気の“晴れ”の記号を示す図形パターンは、「晴れ」という読みデータと対応付けられる。
【００２４】
図５に示した定義ファイルと、図６に示した定義ファイルとでは、読みデータと対応した図形パターンの表示形式、つまり、図形パターン中の文字のフォントおよび記号のデザインが異なる。例えば、図５に示した定義ファイルと図６に示した定義ファイルには、同じ意味をもつ「あ」という図形パターンが記憶されているが、図５に示した「あ」のフォントと、図６に示した「あ」というフォントは異なるフォントである。
【００２５】
このように、複数種類の定義ファイルを設けるのは、データ放送デコーダ８から出力された図形ファイルで示される画像に含まれる図形パターンの文字のフォントや記号のデザインが、放送局や番組の種類に応じて異なるからである。なお、文字認識辞書メモリ２２には、図５や図６に示した２種類の定義ファイルに限らず、さらに他の文字フォントおよび記号のデザインの図形パターンに対応した定義ファイルを記憶してもよい。
【００２６】
図形認識部２３は、データ放送デコーダ８から出力された図形ファイルで示される画像と、図形認識辞書の各種の定義ファイルとを照合して、図形ファイルで示される画像に含まれる各々の図形パターンの読みデータを検索する機能を有する。
【００２７】
検索の方法として、例えば、図形認識部２３は、データ放送デコーダ８から出力された図形ファイルで示される画像の色や濃淡に基づいて、この画像に含まれる文字および記号の図形パターンを抽出し、この抽出した図形パターンと、図５や図６に示した図形認識辞書で定義される図形パターンとを照合して、前述のように抽出した図形パターンと一致する図形パターンと対応する読みデータの情報を読み出す。
【００２８】
また、データ放送デコーダ８から出力された図形ファイルで示される画像に含まれる図形パターンが、例えば図５に示した図形認識辞書で定義される図形パターンに限られることが判明している場合には、図形認識部２３は、データ放送デコーダ８から出力された図形ファイルから抽出した図形パターンと図５に示した図形認識辞書で定義される図形パターンを照合し、それ以外の図形認識辞書で定義される図形パターンは照合の対象としない。これにより、読みデータの読み出し速度および読み出し精度を向上させることができる。
【００２９】
読み上げ文生成部２４は、読み上げ要素抽出部２１により抽出された文字データと、図形認識部２３により検索された、各々の図形パターンの読みデータをもとに、音声読み上げ用の文章データを生成する機能を有し、音声合成部２５は、読み上げ文生成部２４が生成した文章データを音声データに変換する機能を有する。
【００３０】
次に、図１に示した構成の車載用放送受信装置の動作について説明する。  
まず、通常の映像、音声、およびデータ放送用データの表示・出力にかかる処理とは別に、ユーザが入力部１５を操作することで、音声読み上げ用のモードが設定された場合には、制御部１は、データ記憶部７に記憶されたデータ放送ストリームに含まれるＢＭＬファイル”news.bml”（図５参照）およびバイナリテーブルファイル”news.tbl”（図４参照）が読み上げ要素抽出部２１に出力され、ＢＭＬファイル”news.bml”および、図形ファイル”title.png”、”weather.png”をデコードして得られる図形画像（図５参照）が図形認識部２３に出力されるよう、データ放送デコーダ８を制御する。
【００３１】
読み上げ要素抽出部２１は、データ放送デコーダ８から出力されたバイナリテーブルファイル”news.tbl”を入力し、このファイルに含まれる文字データの各行のデータである、“来年度予算案衆院通過の見込み”、“台風２１号が静岡県沖を北上中”、および、“日経平均株価１万２０００円を回復”をそれぞれ抽出し、ＢＭＬファイル”news.bml”に直接記述された“次のニュース＞”を文字データとして抽出する。
【００３２】
また、読み上げ要素抽出部２１は、データ放送デコーダ８から出力されたＢＭＬファイル”news.bml”を入力し、このファイルに含まれる文字データのモニタ上の表示位置の情報を取得し、この表示位置の情報、および、前述した文字データを読み上げ文生成部２４に出力する。
【００３３】
また、図形認識部２３は、データ放送デコーダ８から出力された図形ファイル”title.png”および”weather.png”を入力すると、それぞれの図形ファイルで示される画像に含まれる図形パターンを抽出する。
【００３４】
例えば、図形ファイル“title.png”で示される画像に含まれる図形パターンは、「首」、「都」、「圏」、「ニ」、「ュ」、「ー」、および「ス」であり、図形ファイル“weather.png”で示される画像に含まれる図形パターンは、「今」、「日」、「の」、「天」、「気」、「：」、「（晴れマーク）」、「／」、および「（曇りマーク）」である。
【００３５】
図形認識部２３は、前述のように抽出した各々の図形パターンと、図５や図６に示した図形認識辞書とを照合して、図形ファイル“title.png”や“weather.png”で示される画像に含まれる図形パターンの読みデータを検索する。
【００３６】
図形ファイル“title.png”において、図形認識部２３による検索の結果得られる読みデータは、「首」、「都」、「圏」、「ニ」、「ュ」、「ー」および「ス」である。これらの読みデータを纏めて発音に相応しい形式に直すと「首都圏ニュース」となる。また、図形ファイル“weather.png”において、前述した検索により得られる、発音に相応しい形式の読みデータは「今日の天気：晴れのち曇り」となる。この、発音に相応しい読みは、図形パターンの前後関係を考慮して構成される。
【００３７】
また、図形認識部２３は、データ放送デコーダ８から出力されたＢＭＬファイル”news.bml”を入力し、このファイルに含まれる各々の図形ファイルのモニタ上の表示位置の情報を取得し、この表示位置の情報、および、前述のように検索した読みデータの情報を読み上げ文生成部２４に出力する。
【００３８】
読み上げ文生成部２４は、読み上げ要素抽出部２１により抽出された文字データ、この文字データの表示位置情報と、図形認識部２３により検索された、各々の図形パターンの読みデータ、および、各図形ファイルの表示位置情報を取得し、これらを記述したテキストファイルを生成する。
【００３９】
図７は、データ放送ストリームに含まれる文字データ、および、図形パターンの読みデータを記述したテキストファイルの一例を示す図である。  
図７に示したテキストファイルは、図２に示したモニタ表示画面中のニュースタイトル、天気予報、およびニュース本文の内容を含んでいる。図７に示したファイルで記述された文字データのうち、“来年度予算案衆院通過の見込み”、“台風２１号が静岡県沖を北上中”、および“日経平均株価１万２０００円を回復”は、データ放送デコーダ８から出力されたバイナリテーブルファイルに含まれる、ニュース本文に対応する文字データである。
【００４０】
また、図７に示したテキストファイルで記述された“首都圏ニュース”は、データ放送デコーダ８から出力された図形ファイル“title.png”で示される画像に含まれる各々の図形パターンの読みデータであり、図７に示したテキストファイルで記述された“今日の天気：晴れのち曇り”は、データ放送デコーダ８から出力された図形ファイル“weather.png”で示される画像に含まれる各々の図形パターンの読みデータである。
【００４１】
図７に示したテキストファイルでは、画面要素である文字データや図形ファイルの表示位置の記述が含まれる。読み上げ文生成部２４は、テキストファイルにおける表示位置の記述にしたがって、同じくテキストファイルに記述される各々の文字データや図形ファイルの読みデータを、例えば画面左上に表示される要素から画面右下に表示される要素に向かった順序にしたがって構成することで、音声による読み上げ対象の文章データを生成する。ただし、“次のニュース＞”の部分は読み上げ対象の文章データに含めない。
【００４２】
音声合成部２５は、読み上げ文生成部２４が生成した文章データを音声データに変換して、この音声データを示す信号を音声ミキサ部１４に出力する。  
音声合成部２５は、“読み上げを開始します。”のメッセージにしたがった音声データ、および、“以上で読み上げを終了します。”のメッセージにしたがった音声データを予め記憶しており、音声ミキサ部１４に出力される音声データは、初めに“読み上げを開始します。”との音声データが音声出力部１３により出力され、次に、図７に示したテキストファイルの内容にしたがって生成された文章データをもとに生成された音声データが出力され、最後に、“以上で読み上げを終了します。”との音声データが出力されるような構成となっている。
【００４３】
音声ミキサ部１４は、音声合成部２５からの信号と、音声デコーダ６からの信号を予め定められた割合でミキシングして、音声出力部１３に出力する。このミキシングの割合は、入力部１５の操作により任意の割合に設定することができる。音声合成部２５が生成した音声データの内容を図８に示す。
【００４４】
以上のように、本発明の第１の実施形態にしたがった車載用放送受信装置では、データ放送中に含まれる文字データを音声に変換して出力し、加えて、データ放送ストリームの中に図形ファイルが含まれていた場合でも、この図形ファイルで示される画像に含まれる図形パターンを抽出して、この図形パターンの読みデータを検索し、この読みデータを文字データとともに音声データに変換して出力するので、例えばニュースタイトルや天気予報を示す情報が、図形ファイルで示す画像に含まれている場合でも、ユーザは、モニタ画面を見ることなく、データ放送の内容を十分に把握することができる。
【００４５】
なお、前記実施の形態は、本発明を車載用放送受信装置に適用した場合について説明したものであるが、これに限らず、データ放送を受信する機能を有する放送受信装置であれば、例えば家庭用の据え置き型の放送受信装置にも本発明を適用することが可能である。
【００４６】
また、放送局側により、音声合成用表音データ、つまり、データ放送ストリームに含まれるバイナリファイル中の文字データの読みデータ、および、各々の図形ファイル中の各種図形パターンの読みデータがデータ放送ストリーム中のバイナリファイル、または、別箇のデータファイル中に記述されている場合には、読み上げ要素抽出部２１は、読みデータを抽出して読み上げ文生成部２４に出力する。この場合には、図形認識部２３による処理を行なわずとも、読み上げ文生成手段２４は、音声読み上げ用の文章データを生成するためのデータを取得することができる。
【００４７】
（第２の実施形態）
次に、本発明の第２の実施形態について説明する。なお、第２の実施形態に係る車載用受信装置の構成のうち、図１に示したものと同一部分の説明は省略する。  
図９は、本発明の第２の実施形態にしたがった車載用放送受信装置の構成例を示すブロック図である。この車載用受信装置では、図１に示した文字認識辞書メモリ２２および図形認識部２３を備えていない。
【００４８】
次に、本発明の第２の実施形態にしたがった車載用放送受信装置の動作について説明する。  
まず、ユーザが入力部１５を操作することで、音声読み上げ用のモードが設定された場合には、制御部１は、データ記憶部７に記憶されたデータ放送ストリームに含まれるＢＭＬファイル”news.bml”（図５参照）およびバイナリテーブルファイル”news.tbl”（図４参照）が読み上げ要素抽出部２１に出力されるよう、データ放送デコーダ８を制御する。
【００４９】
読み上げ要素抽出部２１は、データ放送デコーダ８から出力されたバイナリテーブルファイル”news.tbl”を入力し、このファイルに含まれる文字データである、“来年度予算案衆院通過の見込み”、“台風２１号が静岡県沖を北上中”、および、“日経平均株価１万２０００円を回復”をそれぞれ抽出する。
【００５０】
また、読み上げ要素抽出部２１は、データ放送デコーダ８から出力されたＢＭＬファイル”news.bml”を入力し、このファイルに含まれる文字データのモニタ上の表示位置の情報を取得し、この表示位置の情報、および、前述した文字データを読み上げ文生成部２４に出力する。  
読み上げ文生成部２４は、読み上げ要素抽出部２１により抽出された文字データと、この文字データの表示位置情報を取得し、これらを記述したテキストファイルを生成する。
【００５１】
図１０は、本発明の第２の実施形態にしたがった車載用放送受信装置の読み上げ文生成部２４が取得した文字データを記述したテキストファイルの一例を示す図である。  
図１０に示したテキストファイルは、図２に示したモニタ表示画面中のニュース本文の内容を含んでいる。図１０に示したファイルで記述された文字データのうち、“来年度予算案衆院通過の見込み”、“台風２１号が静岡県沖を北上中”、および“日経平均株価１万２０００円を回復”は、データ放送デコーダ８から出力されたバイナリテーブルファイルに含まれる、ニュース本文に対応する文字データである。
【００５２】
図７に示したテキストファイルでは、画面要素である文字データの表示位置の記述が含まれる。読み上げ文生成部２４は、この表示位置の記述にしたがって、各々の文字データを、例えば画面左上に表示される要素から画面右下に表示される要素に向かった順序にしたがって構成することで、音声による読み上げ対象の文章データを生成する。ただし、“次のニュース＞”の部分は読み上げ対象の文章データに含まれない。  
音声合成部２５は、読み上げ文生成部２４が生成した文章データを音声データに変換して、これを音声出力部１３に出力する。
【００５３】
図１１は、音声合成部２５が読み上げる音声データの内容を示す図である。  
以上のように、本発明の第２の実施形態にしたがった車載用放送受信装置では、データ放送中に含まれる文字データを音声に変換して出力するので、ユーザは、例えば運転中で表示部１１を見ることが出来ない場合でも、データ放送の内容を把握することができる。
【００５４】
（第３の実施形態）
次に、本発明の第３の実施形態について説明する。なお、第３の実施形態に係る車載用受信装置の構成のうち、図１に示したものと同一部分の説明は省略する。  
図１２は、本発明の第３の実施形態にしたがった車載用放送受信装置の構成例を示すブロック図である。この車載用受信装置では、図１に示した読み上げ要素抽出部２１を備えておらず、また、図形認識部２３の代わりに図形認識部３１を備える。
【００５５】
本発明の第３の実施形態にしたがった車載用放送受信装置のデータ放送デコーダ８は、データ記憶部７から読み出したデータ放送ストリームをデコードして、出力画面全体のイメージデータを生成して、これを図形認識部３１に出力する機能を有する。出力画面全体のイメージとは、図２に示したような、表示部１１における出力画面のイメージである。
【００５６】
図形認識部３１は、データ放送デコーダ８から出力された、出力画面全体のイメージデータで示される画像と、図形認識辞書の各種の定義ファイルとを照合して、出力画面のイメージデータで示される画像に含まれる各々の図形パターンの読みデータを検索する機能を有する。
【００５７】
次に、本発明の第３の実施形態にしたがった車載用放送受信装置の動作について説明する。  
まず、ユーザが入力部１５を操作することで、音声読み上げ用のモードが設定された場合には、制御部１は、データ記憶部７に記憶されたデータ放送ストリームに含まれるＢＭＬファイル”news.bml”（図５参照）、バイナリテーブルファイル”news.tbl”（図４参照）、図形ファイル“title.png”や“weather.png”に基づいてデータ放送の出力画面全体のイメージデータが生成され、このイメージデータが図形認識部３１に出力されるようデータ放送デコーダ８を制御する。
【００５８】
図形認識部３１は、データ放送デコーダ８からの出力画面イメージを入力すると、この出力画面イメージに含まれる各々の図形パターンを抽出する。この場合、前述した第１の実施形態と異なり、バイナリファイルに記述された文字データも図形パターンとして抽出される。
【００５９】
例えば、表示部１１への出力画面が図２に示した画面である場合には、出力画面イメージに含まれる図形パターンは、前述した「首」、「都」、「圏」、「ニ」、「ュ」、「ー」、「ス」、と、「今」、「日」、「の」、「天」、「気」、「：」、「（晴れマーク）」、「／」、「（曇りマーク）」に加え、ニュース本文に該当する「来」、「年」、「度」、「予」、「算」、「案」、「衆」、「院」、「通」、「過」、「の」、「見」、「込」、「み」と、「台」、「風」、「２」、「１」、「号」、「が」、「静」、「岡」、「県」、「沖」、「を」、「北」、「上」、「中」、と、「日」、「経」、「平」、「均」、「株」、「価」、「１」、「万」、「２」、「０」、「０」、「０」、「円」、「を」、「回」、「復」、および、「次」、「の」、「ニ」、「ュ」、「ー」、「ス」、「＞」である。
【００６０】
図形認識部３１は、前述のように抽出した各々の図形パターンと、図５や図６に示した図形認識辞書とを照合して、出力画面イメージに含まれる図形パターンの読みデータを検索する。
【００６１】
また、図形認識部３１は、出力画面イメージに含まれる各々の図形イメージの表示位置の情報を取得し、この表示位置の情報、および、前述のように検索した読みデータを読み上げ文生成部２４に出力する。
【００６２】
読み上げ文生成部２４は、図形認識部３１により検索された、出力画面イメージの各々の図形パターンの読みデータ、および前述した表示位置情報を取得し、これらを記述したテキストファイルを生成する。このテキストファイルの内容は、図７に示した内容と同じである。
【００６３】
音声合成部２５は、読み上げ文生成部２４が生成した文章データを音声データに変換して、これを音声出力部１３に出力する。この音声の内容は、図８に示した内容と同じである。
【００６４】
以上のように、本発明の第３の実施形態にしたがった車載用放送受信装置では、データ放送中に含まれる出力画面全体のイメージに含まれる図形パターンを抽出して、この図形パターンの読みデータを検索し、この読みデータを文字データとともに音声データに変換して出力するので、例えばニュースタイトルや天気予報を示す情報が、図形ファイルで示す画像に含まれている場合でも、これらの情報を音声として出力できる、さらに、第１の実施形態にしたがった車載用放送受信装置のように、読み上げ要素抽出部２１を設けなくとも、ニュース本文を示す情報を音声として出力することができる。よって、ユーザは、モニタ画面を見ることなく、データ放送の内容を十分に把握することができる。
【００６５】
（第４の実施形態）
次に、本発明の第４の実施形態について説明する。なお、第４の実施形態に係る車載用受信装置の構成は、図１に示したものとほぼ同様であるので、説明を省略する。  
前述した各実施形態にしたがった車載用放送受信装置では、表示画面が更新されるたびに、この更新後の表示画面に含まれる情報のうち音声読み上げ可能な情報を、前述した読みデータの検索などを経て、全て音声データに変換して出力する。例えば、表示すべきニュース本文の量が多く、“次のニュース＞”（図２参照）の項目が選択されて表示画面中のニュース本文の部分のみが更新された場合でも、この更新された表示画面に含まれるその他の情報を全て新しい情報とみなし、これらの情報のうち、音声読み上げ可能な情報を全て音声データに変換して出力する。
【００６６】
この場合、表示画面中に含まれる情報のうち、例えばニュースタイトルおよび天気予報など、“次のニュース＞”（図２参照）の項目が選択された後も、変化しない情報が存在する場合には、前述のように、表示画面中に含まれる音声読み上げ可能な情報を全て音声に変換すると、同じ内容の音声データが繰り返し出力されてしまう。第４の実施形態にしたがった車載用放送受信装置では前述した課題を解決する。
【００６７】
本発明の第４の実施形態にしたがった車載用放送受信装置の読み上げ文生成部２４は、表示部１１に表示する情報が更新された場合に、この更新された情報に含まれる、音声読み上げ可能な情報のうち、更新前の表示画面中に含まれる情報と同じ情報に関しては、音声読み上げ用の文章データに含めない。
【００６８】
次に、本発明の第４の実施形態にしたがった車載用放送受信装置の動作について説明する。  
図１３は、本発明の第４の実施形態にしたがった車載用放送受信装置の表示部１１に表示される第１の表示画面の例を示す図である。
【００６９】
図１４は、本発明の第４の実施形態にしたがった車載用放送受信装置の読み上げ文生成部２４が取得した情報である、第１の表示画面中の音声読み上げ可能な情報を記述したテキストファイルの一例を示す図である。図１４に示したテキストファイルは、図１３に示した第１の表示画面中のニュースタイトル、天気予報、およびニュース本文の内容およびこれらの表示位置の情報を含む。
【００７０】
読み上げ文生成部２４は、まず、図１４に示したテキストファイルで記述された文字データ、図形イメージの読みデータおよびこれらの表示位置情報にしたがって、音声読み上げ用の文章データを生成して、これを音声合成部２５に出力する。ただし、テキストファイル中に“次のニュース＞”の記述がある場合には、前述した“以上で読み上げを終了します。”とのメッセージデータは音声読み上げ用の文章データとしない。
【００７１】
読み上げ文生成部２４は、前述したテキストファイル（図１４参照）の内容を保持する。次に制御部１は、図１４の“次のニュース＞”に関連付けられているイベント（onclick=”pageUp();”）を、データ放送デコーダ８に対し発行し、データ放送デコーダ８が、バイナリテーブルファイル（図４参照）で定義されて、かつ、モニタ表示されていない文字データのうち、第１の表示画面が更新された画面である第２の表示画面上に表示すべき、ここでは１文章分の文字データをＢＭＬファイルに反映して、第２の表示画面の内容を表示部１１に表示するための処理を行なうように制御する。これにより、表示部１１に表示されるニュース本文が更新される。ここでは、表示部１１に表示されるニュース本文の数は１つである。
【００７２】
そして、読み上げ文生成部２４は、第２の表示画面の表示内容（図１５参照）にかかる文字データおよび図形ファイルで示される画像に含まれる図形イメージの読みデータを、読み上げ要素抽出部２１および図形認識部２３からそれぞれ取得して、これらのデータが記述されたテキストファイルを生成する。
【００７３】
図１５は、本発明の第４の実施形態にしたがった車載用放送受信装置の表示部１１に表示される第２の表示画面の例を示す図である。この第２の表示画面は、前述した第１の表示画面中の“次のニュース＞”に関連付けられているイベント（onclick=”pageUp();”）を、制御部１が自動的に発行することにより表示される。
【００７４】
図１６は、本発明の第４の実施形態にしたがった車載用放送受信装置の読み上げ文生成部２４が取得した、第２の表示画面中の音声読み上げ可能な情報を記述したテキストファイルの一例を示す図である。図１６に示したテキストファイルは、図１５に示した第２の表示画面中のニュースタイトル、天気予報、およびニュース本文の内容およびこれらの表示位置の情報を含む。
【００７５】
読み上げ文生成部２４は、第１の表示画面（図１３参照）に関するテキストファイル（図１４参照）および、第２の表示画面（図１５参照）に関するテキストファイル（図１６参照）を比較し、第１の表示画面に関するテキストファイルで記述された文字データおよび図形イメージの読みデータを音声読み上げ用の第１の文章データとして、音声合成部２５に出力し、次に、第２の表示画面に関するテキストファイルに記述された文字データおよび図形イメージの読みデータのうち、第１の表示画面に関するテキストファイルで既に記述された文字データおよび図形イメージの読みデータは、音声読み上げ用の文章データとせずに、第２の表示画面に関するテキストファイルで初めて記述されたデータ、つまり“台風２１号が静岡県沖を北上中”の文字データを音声読み上げ用の文章データの追加分として音声合成部２５に出力される。
【００７６】
音声合成部２５は、読み上げ文生成部２４から入力された文章データを、順次、音声データに変換する。  
また、表示画面がさらに更新された場合には、表示部１１に現在表示されている表示画面の表示内容のうち、以前の表示画面の表示内容と同一の内容は音声読み上げ用の文章データとせずに、現在の表示画面に対応して生成されたテキストファイルで初めて記述されたデータのみを音声読み上げ用の文章データの追加分として音声合成部２５に出力すればよい。
【００７７】
そして、現在の表示画面に対応して生成されたテキストファイルに“次のニュース＞”の記述がなされていない場合には、読み上げ文生成部２４は、さらなる表示対象のデータが無いとみなし、“以上で読み上げを終了します”とのメッセージデータを音声読み上げ用の文章データの最終追加分として音声合成部２５に出力する。
【００７８】
このように順次更新される表示画面の表示内容に対応して生成された音声データの内容を図１７に示す。図１７に示したように、表示画面が更新されても変化しない、ニュースタイトルおよび天気予報に関しては１度しか音声出力されない。
【００７９】
これにより、データ放送の表示画面が何度も更新され、更新後も引き続き表示対象となる文字データまたは図形ファイルがある場合でも、既に表示済みの内容は音声出力の対象とならないので、同じ内容が繰り返し音声として出力されることがなくなる。
【００８０】
この第４の実施形態にしたがった車載用放送受信装置のうち、読み上げ文生成部２４以外の機能は、第１の実施形態にしたがった車載用放送受信装置と同じであるが、読み上げ文生成部２４以外の機能は、第２および第３の実施形態にしたがった車載用放送受信装置と同じとしてもよい。
【００８１】
具体的には、例えば、読み上げ文生成部２４以外の機能を第３の実施形態と同じとした場合には、まず、データ放送デコーダ８から第１の表示画面の出力画面イメージが図形認識部３１に出力されて、このイメージに含まれる各々の図形パターンの読みデータが読み上げ文生成部２４に出力されると、読み上げ文生成部２４は、図１４に示したようなテキストファイルを生成してこれを保持する。
【００８２】
そして、更新後の第２の表示画面の第１の表示画面の出力画面イメージが図形認識部３１に出力されて、このイメージに含まれる各々の図形パターンの読みデータが読み上げ文生成部２４に出力されると、読み上げ文生成部２４は、図１６に示したテキストファイルを生成し、図１４に示したテキストファイルと図１６に示したテキストファイルを比較し、図１６に示したテキストファイルで初めて記述されたデータのみが音声読み上げ用の文章データとして音声合成部２５に出力される。
【００８３】
本発明は、車載用放送受信装置に適用するものとして説明したが、これに限らず、例えば、家庭用の放送受信装置に適用してもよく、この場合、視覚障害者がデータ放送の内容を十分に把握することができるようになる。
【００８４】
以上説明した、各実施形態では、データ放送用の文字データや画像データなどの表示位置情報などが記述されるファイルは、ＢＭＬ（Broadcasting Markup Language）にしたがって記述していたが、これに限らず、例えば、欧州の標準化団体ＤＶＢ（Digital Video Broadcasting）によって策定されたデータ放送規格であるＭＨＰ（Multimedia Home Platform）にしたがって記述してもよい。
【００８５】
なお、この発明は、前記実施形態そのままに限定されるものではなく、実施段階ではその要旨を逸脱しない範囲で構成要素を変形して具体化できる。また、前記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００８６】
【図１】本発明の第１の実施形態にしたがった車載用放送受信装置の構成例を示すブロック図。
【図２】本発明の第１の実施形態にしたがった車載用放送受信装置によるデータ放送のモニタ表示例を示す図。
【図３】データ放送ストリームに含まれるＢＭＬファイルの記述例を示す図。
【図４】データ放送ストリームに含まれるバイナリテーブルファイルの記述例を示す図。
【図５】本発明の第１の実施形態にしたがった車載用放送受信装置の文字認識辞書メモリに記憶される図形認識辞書の第１の定義ファイルの一例を示す図。
【図６】本発明の第１の実施形態にしたがった車載用放送受信装置の文字認識辞書メモリに記憶される図形認識辞書の第２の定義ファイルの一例を示す図。
【図７】本発明の第１の実施形態にしたがった車載用放送受信装置により受信したデータ放送ストリームに含まれる音声読み上げ可能な情報を記述したテキストファイルの一例を示す図。
【図８】本発明の第１の実施形態にしたがった車載用放送受信装置の音声合成部が生成した音声データの内容の一例を示す図。
【図９】本発明の第２の実施形態にしたがった車載用放送受信装置の構成例を示すブロック図。
【図１０】本発明の第２の実施形態にしたがった車載用放送受信装置の読み上げ文生成部が取得した文字データを記述したテキストファイルの一例を示す図。
【図１１】本発明の第２の実施形態にしたがった車載用放送受信装置の音声合成部が生成した音声データの内容の一例を示す図。
【図１２】本発明の第３の実施形態にしたがった車載用放送受信装置の構成例を示すブロック図。
【図１３】本発明の第４の実施形態にしたがった車載用放送受信装置の表示部に表示される第１の表示画面の例を示す図。
【図１４】本発明の第４の実施形態にしたがった車載用放送受信装置により受信した、第１の表示画面に対応するデータ放送ストリームに含まれる音声読み上げ可能な情報を記述したテキストファイルの一例を示す図。
【図１５】本発明の第４の実施形態にしたがった車載用放送受信装置の表示部に表示される第２の表示画面の例を示す図。
【図１６】本発明の第４の実施形態にしたがった車載用放送受信装置により受信した、第２の表示画面用に対応するデータ放送ストリームに含まれる音声読み上げ可能な情報を記述したテキストファイルの一例を示す図。
【図１７】本発明の第４の実施形態にしたがった車載用放送受信装置の音声合成部が生成した音声データの内容の一例を示す図。
【符号の説明】
【００８７】
１…制御部、２…ＴＶアンテナ、３…受信選局部、４…ＴＳデコーダ、５…映像デコーダ、６…音声デコーダ、７…データ記憶部、８…データ放送デコーダ、１１…表示部、１２…映像合成部、１３…音声出力部、１４…音声ミキサ部、１５…入力部、２１…読み上げ要素抽出部、２２…文字認識辞書メモリ、２３、３１…図形認識部、２４…読み上げ文生成部、２５…音声合成部。
【図１】
2006033741.tif 000003
【図２】
2006033741.tif 000004
【図３】
2006033741.tif 000005
【図４】
2006033741.tif 000006
【図５】
2006033741.tif 000007
【図６】
2006033741.tif 000008
【図７】
2006033741.tif 000009
【図８】
2006033741.tif 000010
【図９】
2006033741.tif 000011
【図１０】
2006033741.tif 000012
【図１１】
2006033741.tif 000013
【図１２】
2006033741.tif 000014
【図１３】
2006033741.tif 000015
【図１４】
2006033741.tif 000016
【図１５】
2006033741.tif 000017
【図１６】
2006033741.tif 000018
【図１７】
2006033741.tif 000019